(57)【要約】【目的】  汚れのひどい靴下を安定した状態でブラシ又はスポンジでこすり洗い出来、又下着類や小物類の汚れもブラシ又はスポンジでこすり洗い出来、しかも洗濯したそれらのものを内蔵されたピンチで吊るして乾かす事も出来るし、ハンガーとしてワイシャツやブラウス等を掛ける事も出来ると云うことを目的としている。【構成】  開閉可能な洗濯用具で、閉じた状態で靴下をはかせ適宜部位に設けられた摩擦力のある部分にブラシ又はスポンジでこすり洗いする事が出来る形態になっている。開いた状態で内側に設けたピンチに洗った小物類を吊るして干す事が出来るし、又開いた状態でワイシャツやブラウス等を掛ける事も出来る。以上の構成からなっている。【選択図】    図１
2005334574.tif 000002
【特許請求の範囲】
【請求項１】
ヒンジ部を介して開閉可能なハウジング状の洗濯用具主体の内側の適宜位置に保持具を設けるための手段を備え前記洗濯用具主体が開放した状態において、前記洗濯用具主体に衣類その他を吊るすための手段を備えた事を特徴とする洗濯用具
【請求項２】
汚れ物を洗濯する場合に洗濯用具主体にこすり洗いを可能にする面を設けると共に、前記洗濯用具主体に前記洗濯物を干す手段を特徴とする請求項１記載の洗濯用具
【請求項３】
左右に開放した状態でワイシャツ等を掛けるハンガーとして使用する事が可能な形状を有する請求項１記載の洗濯用具
【発明の詳細な説明】
【技術分野】
【０００１】  この発明は、旅行中又は家庭で靴下、下着など小物を洗濯して干す或いはワイシャツ、ブラウス、Ｔシャツ等を掛ける事が出来る洗濯用具に関するものである。
【背景技術】
【０００２】  旅行中汚れた靴下や下着類、ハンカチなどの小物を洗濯しても干す事が出来ず、ビニール袋などに入れて旅行が終わるまで持ち運ばなくてはならず、税関等で開けられる事があり恥ずかしい事この上もなかった。寒い時期はまだしも、暖かな時期や暑い時期も非常に困った。又ワイシャツやブラウス、Ｔシャツ等がしわにならない様に掛けたくても、ホテルや旅館によっては洗濯用のハンガーが無く洗濯物を干す事が極めて困難であった。
【発明の開示】
【発明が解決しようとする課題】
【０００３】  この発明は上記従来の問題点を解決し、携帯が容易で旅行中汚れた靴下や下着類、ハンカチなどの小物をビニール袋などに入れて持ち運ぶ事なく、手軽に洗濯し簡単に干して乾かすことが出来、又しわになりやすいワイシャツやブラウス、Ｔシャツなども干すことが出来る洗濯用具を提供するものである。
【課題を解決するための手段】
【０００４】  本発明は、ヒンジ部２を介して開閉可能な洗濯用具主体１の内側の適宜位置に保持部８を設けるための手段を備え、前記洗濯用具主体１が開放した状態において、前記洗濯用具主体１に衣類その他を掛けるための手段を備えた。又汚れ物を洗濯する場合に洗濯用具主体１にこすり洗いを可能にする面を設けると共に、前記洗濯用具主体１に前記洗濯物を干す手段を備えた。
【発明を実施するための最良の形態】
【０００５】  ヒンジ部２を介して開閉自在に形成される洗濯用具主体１を閉じたとき、外面の適宜部位に摩擦力のある部分を設け、汚れた靴下を装着してこすり洗いが可能である事が望ましく、洗濯物の汚れのひどい部分はブラシ又はスポンジを用いてこすり洗いする事も可能である。洗濯用具主体１を、開いたとき内側に設けたピンチ５に洗濯物を吊るして干す事が出来る形態となっている。ピンチ５に設けた連結部５Ａを介して洗濯用具主体１の内側に設けた固定部６により固定し、更に洗濯用具主体１に設けた保持部８により固定し収納しやすくすることも可能である。又洗濯用具主体１を開いた状態でハンガーとして洗濯物を掛ける事が出来る形態に形成してある。
【実施例１】
【０００６】図１は本発明の第１実施例を示すもので、洗濯用具主体１の蓋部分３と箱部分４とを、ヒンジ部２を介して少なくとも左右に１８０°程度開き、ハンガーとして、ワイシャツやブラウス等を干す事が可能な形状になっている。【０００７】  図２は、洗濯用具主体１の内側を示す平面図で、洗濯用具主体１を左右に開いたとき、内側にピンチ５を設けピンチ５に洗濯物を吊るして干す事が可能な構造となっている。【０００８】  更にピンチ５は、図３及び図４で示す如く曲直自在な連結部５Ａを介して洗濯用具主体１の内側に適宜間隔に配設された固定部６に固定部材６Ａを介して固定する。連結部５Ａの素材は金属製又はプラスチック製のクサリ、針金、布紐、プラスチック製紐等柔軟性のあるものならなんでも可能である。又、固定部材６Ａはバネ状のリングで固定部６を巻着固定する事も可能である。【０００９】  更に図４で示す如く固定部６に溝７を設け、連結部５Ａを自由に回動させる事も可能である。【００１０】  図５で示す如く洗濯用具主体１の内側の面の適宜位置に、保持部８を立設し、ピンチ５を収納する場合において、ピンチ５で挟接し、ピンチ５を安定的に保持する様に形成してもよい。【００１１】  図６で示す如く洗濯用具主体１の内側にはブラシ又はスポンジ或いは石鹸等の収納部９を設ける事も可能である。【００１２】  更に図７で示す如く洗濯用具主体１のヒンジ部２の付近に開口部２Ａを設け、洗濯用具主体１を吊り下げるための吊り部材１０を設ける。この吊り部材１０の素材は金属製又はプラスチック製のクサリ、針金、布紐、プラスチック製紐等柔軟性のあるものならなんでも可能である。吊り部材１０は、Ｓ字型のフック等、どの様なフックに掛けてもよいしパイプ状のものに掛ける事も可能に形成する事が望ましい。【００１３】  図８で示す如く洗濯用具主体１の蓋部分３及び箱部分４の側板１２Ａ及び側板１２Ｂからそれぞれ延長して、腕木状のヒンジ部２を形成する事も可能で、腕木１３Ａ及び腕木１３Ｂを出してヒンジ部２を設けてもよく、図８は、この実施例のほんの一例を示すもので、腕木１３Ａ、１３Ｂ洗濯用具主体１と一体形成する事も含まれる事は、当然である。次に図９においてヒンジ部２の説明をすると、腕木１３Ａ，１３Ｂのそれぞれの面に腕木１３Ａ及び１３Ｂが１８０°開いた状態で固定する係止段部１４Ａ，１４Ｂを形成してあり、更には洗濯用具主体１を回動自在に保持する軸２Ｂを腕木１３Ａに、軸２Ｂを腕木１３Ａに設けてある。この様な構造にする事により、洗濯用具主体１を吊った状態で１８０°開いた状態で保つ事が可能になる。
【実施例２】
【００１４】  図１０は本発明の第２実施例を示すもので、図７における吊り部材１０を洗濯用具主体１に取り付ける方法を示すものである。洗濯用具主体１の裏側からブリッジ１１を設け、そこに吊り部材１０を取り付ける構造である。取り付け方は他に洗濯用具主体１に設けた金属製又はプラスチック製の紐通し具に取り付ける事も可能である。又は釘或いは接着剤で直接洗濯用具主体１に取り付ける事も可能である。図１１は図１０のＡ−Ａの断面図である。
【実施例３】
【００１５】  図１２は本発明の第３実施例を示すもので、洗濯用具主体１のハウジング状の左右ヒンジ部２を介して一体に形成する事も可能でこの際ポリプロピレン等ヒンジ作用を有する素材を用いればよく、更にはチョウツガイ等を設ける事も可能である。
【実施例４】
【００１６】  図１３は本発明の第４実施例を示すもので、ヒンジ部２を介して閉じた洗濯用具主体１の外面に、複数の突状部１７を設け靴下１５を装着し、ブラシ１６又はスポンジ１６Ａでこすり洗いをすると云うものである。複数の突状部１７を設けた事により、靴下１５を洗う時ずれにくくなるし、ひどい汚れも複数の突状部１７にこすりつけて洗う事によって綺麗になる。なお、洗濯用具主体１の材質はプラスチック、木、硬質発泡ポリウレタン、発泡性硬質塩化ビニール、金属、あるいはある程度の硬さを有する材質である事が望ましい。
図１４は第４実施例の使用法を示すものである。洗濯用具主体１に汚れた靴下１５を装着し、洗濯液を含ませてブラシ１６又はスポンジ１６Ａでこすり洗いする事によって、汚れを立体的に浮き上がらせ容易に落とす事が可能である。
【実施例５】
【００１７】  図１５は本発明の第５実施例を示すもので、洗濯用具主体１の外面に洗濯用具主体１と異なる材質からなる部分１８を設けると云うものである。異なる材質の部分１８を設ける事により、洗濯用具主体１に靴下を装着しブラシ１６又はスポンジ１６Ａでこすり洗いする時に、靴下１５がずれにくくなり汚れを一層綺麗に落とせると云う効果をもたらす。異なる材質の部分１８とは、例えば洗濯用具主体１の材質をプラスチックにした場合異なる部分１８の材質をプラスチック以外の木、硬質発泡ポリウレタン、発泡性硬質塩化ビニール、金属、その他ある程度の硬さを有する材質にすると云う事である。異なる材質の部分１８は洗濯用具主体１の片面のどこに設ける事も、両面のどこに設ける事も可能である。
【実施例６】
【００１８】  図１６は本発明の第６実施例を示すもので、洗濯用具主体１の外面に凹面１９、凸面２０を設けると云うものである。この事により洗濯用具主体１に靴下１５を装着しブラシ１６又はスポンジ１６Ａでこすり洗いする時、靴下１５がずれにくくなると云う効果をもたらす。凹面１９、凸面２０は洗濯用具主体１の片面のどこに設ける事も、両面のどこに設ける事も可能である。図１７は凹面１９の側面を示す。図１８は凸面２０の側面を示す。
【実施例７】
【００１９】  図１９は本発明の第７実施例を示すもので、洗濯用具主体１の外面にブラシ状部２１を設けると云うものである。ブラシ状部２１の材質は硬質でも軟質でも可能である。又ブラシ状部２１の波先は丸くても鋭くてもよい。この様に洗濯用具主体１にブラシ状部２１を設けた事により、洗濯用具主体１に汚れた靴下１５を装着しブラシ１６又はスポンジ１６Ａでこすり洗いする時靴下１５がずれにくく洗いやすいし、靴下１５をブラシ状部２０にこすり付けて洗っても綺麗になると云う構造になっている。ブラシ状部２１は洗濯用具主体１の片面のどこに設ける事も、両面のどこに設ける事も可能である。
【実施例８】
【００２０】  図２０は本発明の第８実施例を示すもので、洗濯用具主体１の外面の表と裏の材質が異なると云う構造になっている。この事により洗濯用具主体１に靴下１５を装着しブラシ１６又はスポンジ１６Ａでこすり洗いする時、靴下１５がずれにくく洗いやすいと云う効果をもたらす。図２１は図２０の側面図である。
【実施例９】
【００２１】  図２２は本発明の第９実施例を示すもので、洗濯用具主体１の外面にチェック模様状の突状部２２を設けると云うものである。この事により洗濯用具主体１に靴下１５を装着しブラシ１６又はスポンジ１６Ａでこすり洗いする時ずれにくくなるし、又靴下１５の汚れのひどい部分をチェック模様状の突状部２２にこすり付けて洗う事も可能である。チェック模様状の突状部２２は洗濯用具主体１の片面のどこに設ける事も、両面のどこに設ける事も可能である。
【実施例１０】
【００２２】  図２３は本発明の第１０実施例を示すもので、洗濯用具主体１の外面の一部分をくりぬいて、その開口部２３に隙間を開けて突状部２４を設けると云うものである。この事により洗濯用具主体１に靴下１５を装着しブラシ１６又はスポンジ１６Ａでこすり洗いする時ずれにくくなるし、靴下１５の汚れを綺麗に落とす事が出来る。突状部２４を設けた開口部２３は洗濯用具主体１の片面のどこに設ける事も、両面のどこに設ける事も可能である。
【実施例１１】
【００２３】  図２４は本発明の第１１実施例を示すもので、洗濯用具主体１に摩擦力を有する部分２５を部分的にはめ込むと云うものである。この事により洗濯用具主体１に靴下１５を装着しブラシ１６又はスポンジ１６Ａでこすり洗いする時ずれにくくなるし、靴下１５の汚れを綺麗に落とす事が出来る。摩擦力を有する部分２５は洗濯用具主体１の片面のどこにはめ込む事も、両面のどこにはめ込む事も可能である。
【図面の簡単な説明】
【００２６】
【図１】  本発明の第１実施例を示すものである。
【図２】  洗濯用具主体の内側を示す平面図
【図３】  固定部に連結部を介してピンチを固定した図
【図４】  図３の固定部の部分を拡大した図
【図５】  保持部にピンチを噛ませた図
【図６】  洗濯用具主体の内側にブラシ等の収納部を設けた図
【図７】  洗濯用具主体に吊り部材を設けた図
【図８】  ヒンジ部周辺の図
【図９】  図８のヒンジ部の拡大図
【図１０】  本発明の第２実施例を示すものである。
【図１１】  図１０の断面図
【図１２】  本発明の第３実施例を示すものである。
【図１３】  本発明の第４実施例を示すものである。
【図１４】  図１３の使用法を示す図
【図１５】  本発明の第５実施例を示すものである。
【図１６】  本発明の第６実施例を示すものである。
【図１７】  図１６の凹面の側面図
【図１８】  図１６の凸面の側面図
【図１９】  本発明の第７実施例を示すものである。
【図２０】  本発明の第８実施例を示すものである。
【図２１】  図２０の側面図
【図２２】  本発明の第９実施例を示すものである。
【図２３】  本発明の第１０実施例を示すものである。
【図２４】  本発明の第１１実施例を示すものである。
【符号の説明】
【００２５】１      ：洗濯用具主体
２      ：ヒンジ部
２Ａ    ：開口部
２Ｂ    ：軸
２Ｃ    ：開口部
２Ｄ    ：係止段部
３      ：蓋部分
４      ：箱部分
５      ：ピンチ
５Ａ    ：連結部
６      ：固定部
６Ａ    ：固定部材
７      ：溝
８      ：保持部
９      ：収納部
１０    ：吊り部材
１１    ：ブリッジ
１２Ａ  ：側板
１２Ｂ  ：側板
１３Ａ  ：腕木
１３Ｂ  ：腕木
１４Ａ  ：係止段部
１４Ｂ  ：係止段部
１５    ：靴下
１６    ：ブラシ
１６Ａ  ：スポンジ
１７    ：突状部
１８    ：異なる材質の部分
１９    ：凹面
２０    ：凸面
２１    ：ブラシ状部
２２    ：チェック模様状の突状部
２３    ：開口部
２４    ：突状部
２５    ：摩擦力を有する部分
【図１】
2005334574.tif 000003
【図２】
2005334574.tif 000004
【図３】
2005334574.tif 000005
【図４】
2005334574.tif 000006
【図５】
2005334574.tif 000007
【図６】
2005334574.tif 000008
【図７】
2005334574.tif 000009
【図８】
2005334574.tif 000010
【図９】
2005334574.tif 000011
【図１０】
2005334574.tif 000012
【図１１】
2005334574.tif 000013
【図１２】
2005334574.tif 000014
【図１３】
2005334574.tif 000015
【図１４】
2005334574.tif 000016
【図１５】
2005334574.tif 000017
【図１６】
2005334574.tif 000018
【図１７】
2005334574.tif 000019
【図１８】
2005334574.tif 000020
【図１９】
2005334574.tif 000021
【図２０】
2005334574.tif 000022
【図２１】
2005334574.tif 000023
【図２２】
2005334574.tif 000024
【図２３】
2005334574.tif 000025
【図２４】
2005334574.tif 000026